【手続補正書】
【提出日】平成29年9月14日(2017.9.14)
【手続補正１】
【補正対象書類名】特許請求の範囲
【補正対象項目名】全文
【補正方法】変更
【補正の内容】
【特許請求の範囲】
【請求項１】
サブ復号ピクチャバッファ（ＤＰＢ）のうちの１つまたは複数に区分されたＤＰＢを使用してビデオデータを復号する方法であって、前記方法が、
符号化ビデオビットストリームから、複数の出力レイヤセットを受信することと、ここにおいて、前記複数の出力レイヤセットの各出力レイヤセットは、それぞれの複数のサブレイヤを含み、各それぞれの複数のサブレイヤは、第１のサブレイヤと前記第１のサブレイヤ以外の１つまたは複数のサブレイヤとを含む、
前記複数の出力レイヤセットの各それぞれの複数のサブレイヤを復号することと、
前記複数の各それぞれの復号された複数のサブレイヤを１つまたは複数のサブＤＰＢに記憶することと、
前記符号化ビデオビットストリームから、前記複数の出力レイヤセットの各出力レイヤセットのための第１のそれぞれのシンタックス要素を受信することと、ここにおいて、各第１のそれぞれのシンタックス要素は、各それぞれの出力レイヤセットの各サブレイヤについてサブＤＰＢパラメータがシグナリングされるか否かを示す、
前記符号化ビデオビットストリームから、前記複数の出力レイヤセットのうちの第１の特定の出力レイヤセットの前記第１のサブレイヤ以外の前記１つまたは複数のサブレイヤの各サブレイヤのための第２のそれぞれのシンタックス要素を受信することと、ここにおいて、各第２のそれぞれのシンタックス要素は、前記第１の特定の出力レイヤセットの前記第１のサブレイヤ以外の前記１つまたは複数のサブレイヤの各それぞれのサブレイヤについてサブＤＰＢパラメータがシグナリングされるか否かを示す、
前記符号化ビデオビットストリームから、各それぞれの複数のサブレイヤの前記第１のサブレイヤのためのサブＤＰＢパラメータのそれぞれのセットを受信することと、
受信されたサブＤＰＢパラメータの各それぞれのセットに従って、前記１つまたは複数のサブＤＰＢに対してサブＤＰＢ管理プロセスを実行することと
を備える、方法。
【請求項２】
各それぞれの複数のサブレイヤの前記第１のサブレイヤのためのサブＤＰＢパラメータの各それぞれのセットは、
前記１つまたは複数のサブＤＰＢのために許容される並べ替えピクチャの最大数を示すそれぞれの第３のシンタックス要素と、
前記１つまたは複数のサブＤＰＢのために許容される最大レイテンシを示すそれぞれの第４のシンタックス要素と
を含む、請求項１に記載の方法。
【請求項３】
サブＤＰＢパラメータの前記それぞれのセットを受信することが、ビデオパラメータセット（ＶＰＳ）中でサブＤＰＢパラメータの前記それぞれのセットを受信することを備える、請求項１に記載の方法。
【請求項４】
前記複数の出力レイヤセットの第２の特定の出力レイヤセットの各サブレイヤについてサブＤＰＢパラメータがシグナリングされないことを示す前記第１のそれぞれのシンタックス要素に基づいて、前記第２の特定の出力レイヤセットのサブＤＰＢパラメータの前記それぞれのセットを前記第２の特定の出力レイヤセットのすべてのサブレイヤに適用すること
をさらに備える、請求項１に記載の方法。
【請求項５】
前記サブＤＰＢ管理プロセスが、ピクチャを参照のために使用されないとマークすること、出力のためのピクチャをマークすること、または前記サブＤＰＢからピクチャを削除することのうちの少なくとも１つを含み、ここにおいて、前記サブＤＰＢ管理プロセスを前記実行することが、サブＤＰＢパラメータの前記受信されたそれぞれのセットを使用してアクセスユニットレベルで前記サブＤＰＢ管理プロセスを実行することを備える、請求項１に記載の方法。
【請求項６】
前記アクセスユニットレベルで前記サブＤＰＢ管理プロセスを実行することが、
出力のために必要とされるとマークされた少なくとも１つのピクチャを含んでいるＤＰＢ中のアクセスユニットの数に基づいてピクチャを出力することと、
レイヤレベル単位でピクチャを参照のために使用されないとマークすることと、
レイヤレベル単位で前記サブＤＰＢからピクチャを削除することと
を備える、請求項５に記載の方法。
【請求項７】
サブ復号ピクチャバッファ（ＤＰＢ）のうちの１つまたは複数に区分されたＤＰＢを使用してビデオデータを符号化する方法であって、前記方法が、
符号化ビデオビットストリームの複数の出力レイヤセットを再構成することと、ここにおいて、前記複数の出力レイヤセットの各出力レイヤセットは、それぞれの複数のサブレイヤを含み、各それぞれの複数のサブレイヤは、第１のサブレイヤと前記第１のサブレイヤ以外の１つまたは複数のサブレイヤとを含み、前記複数の出力レイヤセットを再構成することは、前記複数の出力レイヤセットの各それぞれの複数のサブレイヤを再構成することを含む、
各それぞれの再構成された複数のサブレイヤを１つまたは複数のサブＤＰＢに記憶することと、
前記複数の出力レイヤセットの各出力レイヤセットのための第１のそれぞれのシンタックス要素を生成することと、ここにおいて、各第１のそれぞれのシンタックス要素は、各それぞれの出力レイヤセットの各サブレイヤについてサブＤＰＢパラメータがシグナリングされるか否かを示す、
前記複数の出力レイヤセットのうちの第１の特定の出力レイヤセットの前記第１のサブレイヤ以外の前記１つまたは複数のサブレイヤの各サブレイヤのための第２のそれぞれのシンタックス要素を生成することと、ここにおいて、各第２のそれぞれのシンタックス要素は、前記第１の特定の出力レイヤセットの前記第１のサブレイヤ以外の前記１つまたは複数のサブレイヤの各それぞれのサブレイヤについてサブＤＰＢパラメータがシグナリングされるか否かを示す、
各それぞれの複数のサブレイヤの前記第１のサブレイヤのためのサブＤＰＢパラメータのそれぞれのセットを生成することと、
生成されたサブＤＰＢパラメータの各それぞれのセットに従って、前記１つまたは複数のサブＤＰＢに対してサブＤＰＢ管理プロセスを実行することと、
前記符号化ビデオビットストリーム中でサブＤＰＢパラメータの各それぞれのセットを生成することと
を備える、方法。
【請求項８】
複数のサブ復号ピクチャバッファ（ＤＰＢ）に区分されたＤＰＢを使用してビデオデータを復号するように構成された装置であって、前記装置が、
ビデオデータを記憶するように構成された１つまたは複数のサブＤＰＢを備える１つまたは複数のメモリデバイスと、
符号化ビデオビットストリームから、複数の出力レイヤセットを受信することと、ここにおいて、前記複数の出力レイヤセットの各出力レイヤセットは、それぞれの複数のサブレイヤを含み、各それぞれの複数のサブレイヤは、第１のサブレイヤと前記第１のサブレイヤ以外の１つまたは複数のサブレイヤとを含む、
前記複数の出力レイヤセットの各それぞれの複数のサブレイヤを復号することと、
各それぞれの復号された複数のサブレイヤを前記１つまたは複数のサブＤＰＢに記憶することと、
前記符号化ビデオビットストリームから、前記複数の出力レイヤセットの各出力レイヤセットのための第１のそれぞれのシンタックス要素を受信することと、ここにおいて、各第１のそれぞれのシンタックス要素は、各それぞれの出力レイヤセットの各サブレイヤについてサブＤＰＢパラメータがシグナリングされるか否かを示す、
前記符号化ビデオビットストリームから、前記複数の出力レイヤセットのうちの第１の特定の出力レイヤセットの前記第１のサブレイヤ以外の前記１つまたは複数のサブレイヤの各サブレイヤのための第２のそれぞれのシンタックス要素を受信することと、ここにおいて、各第２のそれぞれのシンタックス要素は、前記第１の特定の出力レイヤセットの前記第１のサブレイヤ以外の前記１つまたは複数のサブレイヤの各それぞれのサブレイヤについてサブＤＰＢパラメータがシグナリングされるか否かを示す、
前記符号化ビデオビットストリームから、各それぞれの複数のサブレイヤの前記第１のサブレイヤのためのサブＤＰＢパラメータのそれぞれのセットを受信することと、
受信されたサブＤＰＢパラメータの各それぞれのセットに従って、前記１つまたは複数のサブＤＰＢに対してサブＤＰＢ管理プロセスを実行することと
を行うように構成されたビデオデコーダと
を備える、装置。
【請求項９】
各それぞれの複数のサブレイヤの前記第１のサブレイヤのためのサブＤＰＢパラメータの各それぞれのセットは、
前記１つまたは複数のサブＤＰＢのために許容される並べ替えピクチャの最大数を示すそれぞれの第３のシンタックス要素と、
前記１つまたは複数のサブＤＰＢのために許容される最大レイテンシを示すそれぞれの第４のシンタックス要素と
を含む、請求項８に記載の装置。
【請求項１０】
前記ビデオデコーダが、ビデオパラメータセット（ＶＰＳ）中でサブＤＰＢパラメータの前記それぞれのセットを受信するように構成された、請求項８に記載の装置。
【請求項１１】
前記ビデオデコーダは、
第２の特定の出力レイヤセットの各サブレイヤについてサブＤＰＢパラメータがシグナリングされないことを示す前記第１のそれぞれのシンタックス要素に基づいて、前記第２の特定の出力レイヤセットのサブＤＰＢパラメータの前記それぞれのセットを前記第２の特定の出力レイヤセットのすべてのサブレイヤに適用すること
を行うようにさらに構成された、請求項８に記載の装置。
【請求項１２】
前記サブＤＰＢ管理プロセスが、ピクチャを参照のために使用されないとマークすること、出力のためのピクチャをマークすること、または前記サブＤＰＢからピクチャを削除することのうちの少なくとも１つを含み、ここにおいて、前記サブＤＰＢ管理プロセスを前記実行することが、サブＤＰＢパラメータの前記受信されたそれぞれのセットを使用してアクセスユニットレベルで前記サブＤＰＢ管理プロセスを実行することを備える、請求項８に記載の装置。
【請求項１３】
前記ビデオデコーダが、
出力のために必要とされるとマークされた少なくとも１つのピクチャを含んでいるＤＰＢ中のアクセスユニットの数に基づいてピクチャを出力することと、
レイヤレベル単位でピクチャを参照のために使用されないとマークすることと、
レイヤレベル単位で前記サブＤＰＢからピクチャを削除することと
を行うようにさらに構成された、請求項１２に記載の装置。
【請求項１４】
複数のサブ復号ピクチャバッファ（ＤＰＢ）に区分されたＤＰＢを使用してビデオデータを符号化するように構成された装置であって、前記装置が、
ビデオデータを記憶するように構成された１つまたは複数のサブＤＰＢを備える１つまたは複数のメモリデバイスと、
符号化ビデオビットストリームの複数の出力レイヤセットを再構成することと、ここにおいて、前記複数の出力レイヤセットの各出力レイヤセットは、それぞれの複数のサブレイヤを含み、各それぞれの複数のサブレイヤは、第１のサブレイヤと前記第１のサブレイヤ以外の１つまたは複数のサブレイヤとを含み、前記複数の出力レイヤセットを再構成することは、前記複数の出力レイヤセットの各それぞれの複数のサブレイヤを再構成することを含む、
各それぞれの再構成された複数のサブレイヤを１つまたは複数のサブＤＰＢに記憶することと、
前記複数の出力レイヤセットの各出力レイヤセットのための第１のそれぞれのシンタックス要素を生成することと、ここにおいて、各第１のそれぞれのシンタックス要素は、各それぞれの出力レイヤセットの各サブレイヤについてサブＤＰＢパラメータがシグナリングされるか否かを示す、
前記複数の出力レイヤセットのうちの第１の特定の出力レイヤセットの前記第１のサブレイヤ以外の前記１つまたは複数のサブレイヤの各サブレイヤのための第２のそれぞれのシンタックス要素を生成することと、ここにおいて、各第２のそれぞれのシンタックス要素は、前記第１の特定の出力レイヤセットの前記第１のサブレイヤ以外の前記１つまたは複数のサブレイヤの各それぞれのサブレイヤについてサブＤＰＢパラメータがシグナリングされるか否かを示す、
各それぞれの複数のサブレイヤの前記第１のサブレイヤのためのサブＤＰＢパラメータのそれぞれのセットを生成することと、
生成されたサブＤＰＢパラメータの各それぞれのセットに従って、前記１つまたは複数のサブＤＰＢに対してサブＤＰＢ管理プロセスを実行することと、
前記符号化ビデオビットストリーム中でサブＤＰＢパラメータの各それぞれのセットを生成することと
を行うように構成されたビデオエンコーダと
を備える、装置。
【請求項１５】
実行されたとき、デバイスの１つまたは複数のプロセッサに、請求項１〜７のいずれか一項に記載の方法を実行させる命令を記憶するコンピュータ可読記憶媒体。